(57)【要約】【課題】装填するフィルムの感度に応じて低感度及び高感度の２種類の感度に設定する感度設定手段と、被写体距離に応じてストロボ発光量を自動的に調節する自動調光回路を有するストロボ発光手段と、前記感度設定手段による感度設定、及び前記ストロボ発光手段の使用状態若しくは不使用状態によって、撮影レンズの開口径を切り換える絞り切換手段と、備えたカメラにおいて、露出不足の発生を少なくすることを簡易な構成で実現する。【解決手段】ストロボ発光手段を使用状態にした場合に、前記感度設定手段を高感度に設定したときは前記自動調光回路による調光動作を可能とし、前記感度設定手段を低感度に設定したときは前記自動調光回路による調光動作を禁止する禁止手段と、を設けたこと。【選択図】        図５
2004271806.tif 000002
【特許請求の範囲】
【請求項１】
装填するフィルムの感度に応じて低感度及び高感度の２種類の感度に設定する感度設定手段と、
被写体距離に応じてストロボ発光量を自動的に調節する自動調光回路を有するストロボ発光手段と、
前記感度設定手段による感度設定、及び前記ストロボ発光手段の使用状態若しくは不使用状態によって、撮影レンズの開口径を切り換える絞り切換手段と、
前記ストロボ発光手段を使用状態にした場合に、前記感度設定手段を高感度に設定したときは前記自動調光回路による調光動作を可能とし、前記感度設定手段を低感度に設定したときは前記自動調光回路による調光動作を禁止する禁止手段と、を設けたことを特徴とするカメラ。
【請求項２】
前記自動調光回路は被写体にて反射したストロボ光を受光する受光素子を有し、
前記禁止手段を、前記ストロボ発光手段を使用状態にして前記感度設定手段を低感度に設定したときに、前記受光素子の前方を遮蔽する遮蔽部材で構成したことを特徴とする請求項１に記載のカメラ。
【請求項３】
前記禁止手段を、前記ストロボ発光手段を使用状態にして前記感度設定手段を低感度に設定したときに、前記自動調光回路を不作動にするスイッチで構成したことを特徴とする請求項１に記載のカメラ。
【請求項４】
前記ストロボ発光手段を使用状態にしたときは、前記感度設定手段による感度設定に拘わらず、絞り切換手段により切り換えた絞りが一定の開口径であることを特徴とする請求項１〜３の何れか１項に記載のカメラ。
【請求項５】
前記絞り切換手段は、前記ストロボ発光手段を使用状態にしたときは最も大口径の第１絞りに切り換え、前記感度設定手段を低感度に設定して前記ストロボ発光手段を不使用状態にしたときは前記第１絞りより小口径の第２絞りに切り換え、前記感度設定手段を高感度に設定して前記ストロボ発光手段を不使用状態にしたときは前記第２絞りより小口径の第３絞りに切り換えることを特徴とする請求項４に記載のカメラ。
【発明の詳細な説明】
【０００１】
【発明の属する技術分野】
本発明は銀塩フィルム（以下、フィルムという）を用いるカメラに関し、詳しくは、装填するフィルムの感度に応じて低感度及び高感度の２種類の感度に手動設定し、且つ、被写体距離に応じて発光量を自動的に調節する自動調光ストロボを備えたカメラに関する。
【０００２】
【従来の技術】
フィルムを用いる通常のカメラは、マイコン等を搭載して、装填されたパトローネのＤＸコードよりフィルム感度を識別し、識別したフィルム感度と被写体輝度に応じて予め設定されたプログラムにより適正な絞り及びシャッタ速度を自動的に決定する。
【０００３】
しかし、廉価な普及型カメラにおいては、低コストにするためにフィルム感度を識別するマイコン等を搭載することができず、フィルム感度を手動操作により設定している。また、絞り及びシャッタ速度のプログラムを記憶したマイコンも搭載できず、シャッタ速度を一定にし、手動操作により設定したフィルム感度に応じて絞りのみを切り換えるカメラがある。このようなカメラにおいては、所定のフィルム感度においては、被写体輝度に無関係に一定のシャッタ速度と絞りにより撮影し、露光の過不足はフィルムのラチチュードによって補っている。
【０００４】
なお、日中では上記の如き構成でもある程度の撮影が可能であるが、室内や夜間ではひどい露出不足になってしまい、鑑賞に耐える写真にはならない。そこで、ストロボを内蔵し、ストロボを使用状態にしたときは大絞りに切り換えて露出不足を解消し、ストロボを不使用状態にしたときは設定したフィルム感度に応じて小絞りに切り換えるカメラが以前よりあった。
【０００５】
例えば、ＩＳＯ１００〜２００と、ＩＳＯ４００との２種のフィルム感度に切り換え可能であって、ストロボを使用状態にしたときはＦ４の開放絞りに切り換え、ストロボを不使用状態にした場合は、ＩＳＯ１００〜２００のときにＦ８に絞りを切り換え、ＩＳＯ４００のときにＦ１６に絞りを切り換えるカメラがあった。
【０００６】
また、予めフィルムが装填されたレンズ付きフィルムユニットにおいて、ストロボを使用状態にしたときと不使用状態にしたときとで絞りを切り換える形式のものが市販されている。このレンズ付きフィルムユニットにおいては、ストロボを使用状態にしたときには、開放絞りとなって絞り口径が大きくなるので、被写体距離が遠距離でも適正露出になるが、近距離ではストロボ光が強すぎて露出過多になる恐れがある。そこで、被写体距離に応じてストロボ発光量を自動的に調節する自動調光ストロボを内蔵し、近距離での露出過多を解消したレンズ付きフィルムユニットも市販されている。
【０００７】
更に、通常の屋外での撮影（日中）、屋外での逆光下での撮影（逆光）、及び夜間や屋内で撮影（夜間）に対応して各々手動設定し、且つ、自動調光ストロボを備えたレンズ付きフィルムユニットが特許文献１に記載されている。そして、このレンズ付きフィルムユニットは、日中に設定したときは小絞りに切り換えられてストロボが不作動になり、夜間に設定したときは大絞りに切り換えられて自動調光ストロボが作動し、逆光に設定したときは小絞りに切り換えられてストロボの自動調光回路が作動せずに常にフル発光する。
【０００８】
【特許文献１】
特開２００２−３３３６５７号公報
【０００９】
【発明が解決しようとする課題】
上記の如く２種のフィルム感度に切り換え可能であって、且つ、自動調光ストロボを内蔵し、屋外での撮影においてストロボを不使用状態にしたときはフィルム感度の切り換えに応じて所定の小絞りに切り換え、室内や夜間での撮影においてストロボを使用状態にしたときはフィルム感度に切り換えに拘わらず一定の開放絞りに切り換えるように構成する簡易カメラが考えられる。このような構成にすると、日中でも室内や夜間であっても、ある程度の適正露出の写真が得られるカメラを安価に提供することができる。
【００１０】
ここで、２種のフィルム感度に切り換え領域を、例えばＩＳＯ１００〜４００の低感度領域とＩＳＯ８００〜１６００の高感度領域とに切り換えるものとする。この場合に、ストロボを不使用状態にするときは、各領域において複数のフィルム感度の中の代表的な感度に対応した小絞りを設定すればよい。例えば、低感度領域においてはＩＳＯ４００に対応した小絞りに設定し、高感度領域においてはＩＳＯ１６００に対応した小絞りを設定する。しかし、ストロボを使用状態にするときは、このストロボは自動調光ストロボであるので自動調光機能を高感度領域に合わせるか低感度領域に合わせるかが問題になる。上記の例では高感度領域と低感度領域とでは２ＥＶの感度差があるので、自動調光機能を高感度領域に合わせると、ＩＳＯ１６００のフィルムを使用したときは適正露出になるが、ＩＳＯ４００のフィルムを使用したときは２ＥＶの露出不足になる。また、自動調光機能を低感度領域に合わせると、ＩＳＯ４００のフィルムを使用したときは適正露出になるが、ＩＳＯ１６００のフィルムを使用したときは２ＥＶの露出過多になる。
【００１１】
なお、このような問題はフィルム感度に対応して適正な絞りを選択することができない簡易な構成で安価なカメラにおいて生ずるものであり、マイコンを用いて装填したフィルム感度を自動的に検出して、フィルム感度に対応した適正な絞りを自動的に設定することができるカメラであれば、問題は生じない。
【００１２】
また、通常のユーザーはネガフィルムを用いるので、フィルムのラチチュードの点から露出不足になるのは特に好ましくない。
【００１３】
本発明はかかる問題に鑑みてなされたものであり、手動操作により２種のフィルム感度に切り換え可能であって、自動調光ストロボを内蔵し、且つフィルム感度及びストロボの使用の有無に応じて絞りが切り換えられる簡単な構成の安価なカメラであって、何れのフィルム感度に切り換えても、夜間や室内でストロボを使用したときに露出不足若しくは露出過多の発生を少なくすることを簡易な構成で実現したカメラを提案することを発明の目的とする。
【００１４】
【課題を解決するための手段】
上記目的は下記の手段により達成される。
【００１５】
装填するフィルムの感度に応じて低感度及び高感度の２種類の感度に設定する感度設定手段と、被写体距離に応じてストロボ発光量を自動的に調節する自動調光回路を有するストロボ発光手段と、前記感度設定手段による感度設定、及び前記ストロボ発光手段の使用状態若しくは不使用状態によって、撮影レンズの開口径を切り換える絞り切換手段と、前記ストロボ発光手段を使用状態にした場合に、前記感度設定手段を高感度に設定したときは前記自動調光回路による調光動作を可能とし、前記感度設定手段を低感度に設定したときは前記自動調光回路による調光動作を禁止する禁止手段と、を設けたことを特徴とするカメラ。
【００１６】
【発明の実施の形態】
本発明のカメラにおける実施の形態を、図を参照して詳細に説明する。
【００１７】
先ず、カメラの一例を図１のカメラの外観斜視図により説明する。
カメラの前面中央には撮影レンズ１が配置され、撮影レンズ１の上方にはファインダの対物レンズ窓２が配置されている。
【００１８】
対物レンズ窓２の右方にはストロボ光を発光するストロボ発光部３が配置されている。ストロボ発光部３の左下には被写体より反射したストロボ光を受光する受光部のための受光窓４が配置され、ストロボ発光部３の下方にはストロボを作動状態及び不作動状態にするストロボ操作レバー５が配置されている。なお、ストロボ操作レバー５を図１の如く右端が側面より突出するように右方に摺動させれば内部のメインスイッチがオンになってストロボが充電しストロボが作動状態になり、左方に摺動させればメインスイッチがオフになってストロボの充電が停止しストロボは不作動状態になる。また、ストロボ操作レバー５の左右への摺動により後述の如く内部の絞りが切り換わる。
【００１９】
撮影レンズ１の下方には装填したフィルムの感度に応じて切り換えるフィルム感度レバー６（感度設定手段）が配置され、本実施の形態においてはフィルム感度レバー６を右方に摺動操作するとＩＳＯ１００〜４００（以下、低感度領域という）に対応した絞りに切り換わり、フィルム感度レバー６を左方に摺動操作するとＩＳＯ８００〜１６００（以下、高感度領域という）に対応した絞りに切り換わる。
【００２０】
カメラの上面には、左から撮影時に押下するレリーズボタン７、撮影コマ数を表示した内部の指数板を視認するための指数窓８、ストロボが充電したときに点灯する内部のＬＥＤを視認するための充電確認窓９、及び撮影済みのフィルムをパトローネ内に巻き戻すための巻戻しハンドル１０が配置されている。
【００２１】
カメラの背面にはフィルムを巻き上げるための巻上げノブ１１が配置されている。
【００２２】
なお、本カメラの背面図は省略してあるが、背面に配置した裏蓋を開閉してフィルムの装填や取り出しを行う。また、背面には対物レンズ窓２と光学的に接続した接眼レンズ窓が配置されている。
【００２３】
次に、本発明に係わる絞り切り換えについて、図２乃至図５に基づいて説明する。
【００２４】
図２乃至図５は外装部材や撮影レンズ等を取り外したカメラの正面図であり、図２はフィルム感度レバー６を高感度領域に設定し、且つ、ストロボ操作レバー５をストロボ不作動状態に切り換えた図、図３はフィルム感度レバー６を高感度領域に設定し、且つ、ストロボ操作レバー５をストロボ作動状態に切り換えた図、図４はフィルム感度レバー６を低感度領域に設定し、且つ、ストロボ操作レバー５をストロボ不作動状態に切り換えた図、図５はフィルム感度レバー６を低感度領域に設定し、且つ、ストロボ操作レバー５をストロボ作動状態に切り換えた図である。
【００２５】
先ず、図２に基づいて各部材を説明する。
２１は絞り切換レバー（絞り切換手段）であり、支軸２２を中心に回動する。そして、絞り切換レバー２１は不図示のバネによって時計方向に回動するように付勢されている。絞り切換レバー２１の左端には中口径の孔が空いていて、これが第２絞り２１ａを形成し、その右方には第２絞り２１ａより小口径の孔が空いていて、これが第３絞り２１ｂを形成している。
【００２６】
絞り切換レバー２１の裏面側にはセクター２３が配置されていて、支軸２４を中心に回動する。なお、セクター２３の上端には切り欠き部２３ａが設けられ、切り欠き部２３ａにシャッタレバー２５の先端部２５ａが挿入されている。シャッタチャージ機構及びシャッタレリーズ機構の説明は省略するが、これらは公知の構成であって、シャッタチャージ状態でレリーズボタン７を押下すると、シャッタレバー２５の先端部２５ａが急速に左方に移動するので、セクター２３は支軸２４を中心に反時計方向に回動し、セクター２３の裏面側に位置する地板２６に設けた開口部２６ａを開放する。これによって、絞り切換レバー２１の前方に位置する撮影レンズ１を透過した被写体光が開口部２６ａを通過し、不図示のフィルムを露光する。そして、この開口部２６ａは第２絞り２１ａより大口径であって、開放絞りである第１絞りを形成する。
【００２７】
なお、セクター２３は反時計方向に回動して開口部２６ａを開放した後、回動を続ける慣性力がなくなると、シャッタレバー２５に付勢された不図示のバネによって逆方向の時計方向に回動し、シャッタレバー２５と共に原位置に復帰する。
【００２８】
また、絞り切換レバー２１の裏面側にはストロボ操作レバー５が配置されていて、更にその裏面側にはフィルム感度レバー６が配置されている。そして、フィルム感度レバー６の裏面側にはストロボユニット３０（ストロボ発光手段）のプリント配線基板３１が配置されている。なお、プリント配線基板３１にはストロボ発光部３が接続されている。
【００２９】
図２はフィルム感度レバー６を左方に摺動して高感度領域に設定し、ストロボ操作レバー５を左方に摺動した図である。この状態では、絞り切換レバー２１の中央に位置する切換部２１ｃがストロボ操作レバー５より突出した切換ピン５ａに圧着している。そして、絞り切換レバー２１の第３絞り２１ｂの中心が、撮影レンズ１の光軸及び開口部２６ａの中心と合致している。また、ストロボ操作レバー５はプリント配線基板３１に設けた不図示のメインスイッチをオフにしていて、ストロボは不作動状態である。従って、図２はＩＳＯ８００乃至ＩＳＯ１６００のフィルムを用いて日中に撮影する場合に好適な状態である。
【００３０】
次に、図２の状態からストロボ操作レバー５を右方に摺動すると図３の状態になり、ストロボ操作レバー５はプリント配線基板３１に設けた不図示のメインスイッチをオンにしていて、ストロボは作動状態である。このとき、ストロボ操作レバー５の切換ピン５ａが切換部２１ｃを介して絞り切換レバー２１を更に反時計方向に回動させている。これにより、絞りは開口部２６ａ、即ち開放絞りである第１絞りになる。従って、図３はＩＳＯ８００乃至ＩＳＯ１６００のフィルムを用いて夜間や室内でストロボ撮影する場合に好適な状態である。
【００３１】
また、図４はフィルム感度レバー６を右方に摺動して低感度領域に設定し、ストロボ操作レバー５を左方に摺動した図である。この状態では、絞り切換レバー２１の切換部２１ｃがフィルム感度レバー６より突出した切換ピン６ａに圧着し、ストロボ操作レバー５の切換ピン５ａは退避している。そして、絞り切換レバー２１の第２絞り２１ａの中心が、撮影レンズ１の光軸及び開口部２６ａの中心と合致している。また、ストロボ操作レバー５はプリント配線基板３１に設けた不図示のメインスイッチをオフにしていて、ストロボは不作動状態である。従って、図４はＩＳＯ１００乃至ＩＳＯ４００のフィルムを用いて日中に撮影する場合に好適な状態である。
【００３２】
次に、図４の状態からストロボ操作レバー５を右方に摺動すると図５の状態になり、ストロボ操作レバー５はプリント配線基板３１に設けた不図示のメインスイッチをオンにしていて、ストロボは作動状態である。このとき、ストロボ操作レバー５の切換ピン５ａが切換部２１ｃを介して絞り切換レバー２１を更に反時計方向に回動させている。これにより、絞りは開口部２６ａ、即ち開放絞りである第１絞りになる。従って、図５はＩＳＯ１００乃至ＩＳＯ４００のフィルムを用いて夜間や室内でストロボ撮影する場合に好適な状態である。
【００３３】
なお、プリント配線基板３１の上部には、被写体にて反射したストロボ光を受光する受光素子３１ａが配置されている。そして、図２及び図３の如くフィルム感度レバー６を左方に摺動して高感度領域に設定したときは、フィルム感度レバー６の上部６ｂ（禁止手段、即ち遮蔽部材）が受光素子３１ａより退避している。従って、図３の如きストロボ撮影においては、ストロボは通常に調光動作を行い、被写体距離が近距離のときはストロボ光量が少なくなり、被写体距離が遠距離のときはストロボ光量が多くなるので、撮影距離に無関係に常に適正露出になる。
【００３４】
一方、図４及び図５の如くフィルム感度レバー６を右方に摺動して低感度領域に設定したときは、フィルム感度レバー６の上部６ｂが受光素子３１ａの前方を遮蔽している。従って、ストロボは作動するが調光動作は行われず、全ての撮影距離で常にフル発光することになる。従って、調光動作を高感度領域に合わせて設定し、これに準じて低感度領域でも調光動作を行って低感度領域では全ての撮影距離で露出不足になる状態と比較して、実用上遙かに良い露出の写真が多数得られる。
【００３５】
一例として、開放の第１絞りをＦ４．５、第２絞りをＦ５．６、第３絞りをＦ１１とし、ＩＳＯ１００でのストロボのガイドナンバーを５とし、ストロボの調光動作をＩＳＯ１６００に合わせたとする。この場合にカメラにＩＳＯ１６００のフィルムを装填したとすると、４．４ｍでストロボがフル発光し２０のガイドナンバーになり、至近距離とした１ｍでは調光動作により発光が途中で停止して４．５のガイドナンバーになる。そして、４．４ｍから１ｍの間で全て適正なガイドナンバーとなって、絞りが一定であっても適正露出となる。この調光動作をそのままＩＳＯ４００でも行うとすると、４．４ｍから１ｍの間で全て−２ＥＶの露出不足になる。このために、ＩＳＯ４００では調光動作を行わなわずに全てフル発光するようにすれば、ガイドナンバーは１０となり、２．２ｍで適正露出になる。調光を行わないので当然のことながら、２．２ｍ以上では次第に露出不足になり、２．２ｍ以下では次第に露出過多になるのは避けられないが、人物撮影において比較的多く行われる２ｍ前後の撮影距離では適正露出となるので、前述の如く２ｍ前後でも必ず−２ＥＶの露出不足になるより遙かに良好な写真が得られる。
【００３６】
次に、調光ストロボの一例を図６のストロボ回路図に基づいて説明する。
ストロボ操作レバー５の操作によりメインスイッチＳ１をオンにすると、発光禁止スイッチＳ２も連動してオンになり、電池Ｂの電流が抵抗Ｒ１を介してトランジスタＴＲに流れて発振が開始し、発振トランスＴの二次側は高圧に昇圧される。この二次側の電流をダイオードＤ１によって整流することで３００〜３５０Ｖの直流高電圧を得て、メインコンデンサＣＭ、及び抵抗Ｒ３と直列に接続したトリガーコンデンサＣＴを充電する。メインコンデンサＣＭが所定の電圧に充電されると、抵抗Ｒ２と直列に接続された発光ダイオードＤＬが点灯し、充電確認窓９より視認することができる。
【００３７】
撮影のときにはセクター２３の開放動作に連動してトリガースイッチＳＴがオンになる。これによって、トリガーコンデンサＣＴ、トリガースイッチＳＴ、トリガートランスＴＣの一次側巻線、及び発光禁止スイッチＳ２を直列に接続した閉回路が形成され、トリガーコンデンサＣＴに充電されていた電荷がトリガートランスＴＣの一次側に放電する。この結果、トリガートランスＴＣの二次側には更なる高圧が発生し、放電管Ｘｅのトリガー電極に印加されるので、放電管Ｘｅの中のイオン化されたキセノン原子が陰極より飛び出した電子と衝突して励起され、メインコンデンサＣＭの放電に伴って放電管Ｘｅは発光する。
【００３８】
なお、トリガースイッチＳＴがオンになると、メインコンデンサＣＭの電荷の一部がトリガートランスＴＣの一次側及びトリガースイッチＳＴを通って電流ｉ１となって抵抗Ｒ４に流れる。また、トリガーコンデンサＣＴが放電した後、メインコンデンサの電荷の一部がトリガーコンデンサＣＴを充電すべく電流ｉ２となって抵抗Ｒ４に流れる。抵抗Ｒ４，Ｒ５と、抵抗Ｒ５の側をカソードとしたツェナーダイオードＤ２とが直列に接続されているので、ツェナーダイオードＤ２には電流ｉ１と電流ｉ２とを加えた電流ｉが逆向きに流れるので、ツエナー電圧が発生する。
【００３９】
ここで、互いに直列に接続されたフォトトランジスタＰＴとコンデンサＣＰとが、ツェナーダイオードＤ２と並列に接続されている。フォトトランジスタＰＴは被写体にて反射したストロボ光を受光するものであって、前述の受光素子３１ａに相当する。フォトトランジスタＰＴとコンデンサＣＰとの接続部分は抵抗Ｒ６を介してトランジスタＴＲＰのベースと接続され、トランジスタＴＲＰのエミッタがサイリスタＴｈ１のゲートに接続されている。サイリスタＴｈ１はバイパス用のチョークコイルＣＣと直列に接続され、これらは放電管Ｘｅと並列に接続されている。
【００４０】
従って、サイリスタＴｈ１がオンになると、放電管Ｘｅに流れる電流よりも大電流でチョークコイルＣＣに電流が流れてメインコンデンサＣＭの電荷は急速に消費され、放電管Ｘｅの発光が停止されるようになっている。
【００４１】
ツェナーダイオードＤ２に電流ｉが流れ、ツェナーダイオードＤ２の両端にツェナー電圧が生じると、被写体の反射光に応じてフォトトランジスタＰＴに電流が流れる。撮影距離が近距離であれば被写体によって反射したストロボ光は強くなり、フォトトランジスタＰＴに流れる電流は大きくなるので、コンデンサＣＰの充電は早くなる。一方、撮影距離が遠距離であれば被写体によって反射したストロボ光は弱くなり、フォトトランジスタＰＴに流れる電流は小さくなり、コンデンサＣＰの充電は遅くなる。
【００４２】
この結果、近距離であれば、トランジスタＴＲＰはオンになるのが早く、サイリスタＴｈ１もオンになるのが早いので、放電管Ｘｅの発光途中でメインコンデンサＣＭの電荷が急速にチョークコイルＣＣにより消費されて、放電管Ｘｅの発光は早めに停止する。一方、遠距離であれば、トランジスタＴＲＰはオンになるのが遅く、サイリスタＴｈ１もオンになるのが遅いので、放電管Ｘｅは遅めに発光停止する。従って、絞りが一定であっても撮影距離に応じて被写体からの反射光が変化してストロボの総発光量が変化するので、撮影距離が変化しても略一定の露光量が得られる。
【００４３】
また、トリガースイッチＳＴがオンになったときにチャタリングが発生し、動作が不安定になるので、この防止のためにサイリスタＴｈ２が設けられている。
【００４４】
ここで、前述の図２乃至図５に示した構成において、フィルム感度レバー６を右方に摺動して低感度領域に設定したときは、フィルム感度レバー６の上部６ｂにて受光素子３１ａ即ちフォトトランジスタＰＴの前方を遮蔽するので、被写体からのストロボの反射光を受光することがなく、調光動作が行われずに常にフル発光する。
【００４５】
しかし、フォトトランジスタＰＴの前方を遮蔽することをせずに、調光回路にフィルム感度レバー６と連動するスイッチ（禁止手段）を設け、低感度領域に設定したときはそのスイッチをオフ（不導通）にして調光回路を不作動状態にしてもよい。
【００４６】
例えば、抵抗Ｒ５の一端とフォトトランジスタＰＴのカソード端子との間のαの位置にスイッチを設ければ、ストロボの反射光がフォトトランジスタＰＴに照射されてもフォトトランジスタＰＴに電流が流れないので、ストロボは調光動作を行わずにフル発光する。
【００４７】
また、トランジスタＴＲＰのエミッタがサイリスタＴｈ１のゲートとの間のβの位置にスイッチを設ければ、フォトトランジスタＰＴに電流が流れてもサイリスタＴｈ１がオンにならないので、同様にストロボは調光動作を行わずにフル発光する。
【００４８】
その他に、チョークコイルＣＣと放電管Ｘｅとの間のγの位置にスイッチを設ければ、サイリスタＴｈ１がオンしてもサイリスタＴｈ１に電流が流れないので、同様にストロボは調光動作を行わずにフル発光する。
【００４９】
無論、このスイッチはストロボの調光動作を不能にすればよいので、上述のα，β，γの位置に限定されるものではなく、これら以外の部所に設けてもよい。
【００５０】
その他に、以上の実施の形態においてはフィルム感度レバー及びストロボ操作レバーがカメラの長手方向に摺動するように構成していたが、これらの少なくとも何れか一方がカメラの短手方向に摺動するように構成してもよいし、また、これらの少なくとも何れか一方が回転するように構成してもよい。
【００５１】
【発明の効果】
本発明のカメラによれば、手動操作により２種のフィルム感度に切り換え可能であって、自動調光ストロボを内蔵し、且つフィルム感度及びストロボの使用の有無に応じて絞りが切り換えられる簡単な構成を有し、何れのフィルム感度に切り換えても、夜間や室内でストロボを使用したときに露出不足若しくは露出過多の発生を少なくすることを簡易な構成で安価に実現することができる。
【図面の簡単な説明】
【図１】カメラの外観斜視図である。
【図２】フィルム感度レバー６を高感度領域に設定し、且つ、ストロボ操作レバー５をストロボ不作動状態に切り換えた状態のカメラの正面図である。
【図３】フィルム感度レバー６を高感度領域に設定し、且つ、ストロボ操作レバー５をストロボ作動状態に切り換えた状態のカメラの正面図である。
【図４】フィルム感度レバー６を低感度領域に設定し、且つ、ストロボ操作レバー５をストロボ不作動状態に切り換えた状態のカメラの正面図である。
【図５】フィルム感度レバー６を低感度領域に設定し、且つ、ストロボ操作レバー５をストロボ作動状態に切り換えた状態のカメラの正面図である。
【図６】調光回路を有するストロボの回路図である。
【符号の説明】
１  撮影レンズ
５  ストロボ操作レバー
６  フィルム感度レバー
６ｂ  上部
２１  絞り切換レバー
２１ａ  第２絞り
２１ｂ  第３絞り
２３  セクター
２６ａ  開口部
３０  ストロボユニット
３１ａ  受光素子
ＰＴ  フォトトランジスタ
【図１】
2004271806.tif 000003
【図２】
2004271806.tif 000004
【図３】
2004271806.tif 000005
【図４】
2004271806.tif 000006
【図５】
2004271806.tif 000007
【図６】
2004271806.tif 000008